(57)【要約】【課題】電源の状態を意識することなくいつでも動作装置を動作させることができる発電装置を備えた水遊び玩具を提供すること。【解決手段】玩具本体１は発電装置Ｂと該発電装置Ｂの発電した電力で動作する動作装置Ａとを備え、該発電装置Ｂは液体に接触させることにより発電するイオン化傾向の異なる２種類の電極板１４、１５で構成し、上記２種類の電極板は一方の電極板１４はプラス側電極板を、他方の電極板１５はマイナス側電極板で構成し、マイナス側の電極板１５の表面積に対し、プラス側の電極板１４の表面積を大きくするとともに、上記電極板１４、１５が液体に接触するように上記玩具本体１を上記液体が出入りできるように形成した。【選択図】図１
2006020762.tif 000002
【特許請求の範囲】
【請求項１】
以下の要件を備えることを特徴とする、発電装置を備えた水遊び玩具。
（イ）玩具本体は発電装置と該発電装置の発電した電力で動作する動作装置とを備え、該発電装置は液体に接触させることにより発電するイオン化傾向の異なる２種類の電極板で構成したこと
（ロ）上記２種類の電極板は一方の電極板はプラス側電極板を、他方の電極板はマイナス側電極板で構成し、マイナス側の電極板の表面積に対し、プラス側の電極板の表面積を大きくしたこと
（ハ）上記電極板を上記液体に接触させるために、上記玩具本体を上記液体が出入りできるように形成したこと
【請求項２】
以下の要件を備えることを特徴とする、請求項１記載の発電装置を備えた水遊び玩具。
（イ）前記玩具本体は前記液体が出入りできない上部スペースと、前記液体が出入りする下部スペースとから構成され、上部スペースには前記動作装置が、下部スペースには前記発電装置が配置されていること
（ロ）上記下部スペースには１枚のマイナス側電極板と複数枚のプラス側電極板とが所定間隔を置いて並設されていること
（ハ）上記プラス側電極板と、マイナス側電極板との大きさは同じであること
【請求項３】
前記動作装置はメロディＩＣとスピーカとで構成され、スピーカは前記上部スペースの内壁に密着固定されている、請求項２記載の発電装置を備えた水遊び玩具。
【請求項４】
前記プラス側の電極板は銅板で構成し、前記マイナス側の電極板は亜鉛板で構成した、請求項１又は２記載の発電装置を備えた水遊び玩具。
【発明の詳細な説明】
【技術分野】
【０００１】
本発明は、発電装置を備えた水遊び玩具、詳しくはイオン化傾向の異なる２種類の電極を液体に浸け、２種類の電極間に発生する電気を利用して動作装置を作動させるようにした発電装置を備えた水遊び玩具に関するものである。
【背景技術】
【０００２】
従来、水遊びで使う玩具、例えば風呂で入浴中に遊ぶ玩具として音声を発生する玩具が提案されている（例えば、特許文献１）。
【０００３】
この玩具は電子音を発する水遊び玩具であって、本体を中空上方体と、この上方体の下部に柱形状の中空下方体を結合した状態の形状で、上方体には電子音を発するスピーカー、回路基板を、下方体には電源を収容したもので、上方体と下方体とはゴム製パッキンを介してネジ嵌合により固定されるようになっており、下方体に収容した電池を交換することができるようになっているものである。
【特許文献１】特開平１１−３４７２５８号公報
【発明の開示】
【発明が解決しようとする課題】
【０００４】
本発明が解決しようとする問題点は、上述の水遊び玩具は電源をＯＮすることにより下方体に収容した電池を電源として作動するようになっているが、作動するか否かは電源をＯＮするまでは判らないものであり、電池が消耗していると作動しないし、買い置きの電池がなければ新しい電池と交換することができず、使用したいときに確実に作動するか否かが保障されない点であった。
【０００５】
本発明は、上記問題点を解決し、電源の状態を意識することなくいつでも動作装置を動作させることができる発電装置を備えた水遊び玩具を提供することを課題とする。
【課題を解決するための手段】
【０００６】
前記課題を解決するために本発明に係る発電装置を備えた水遊び玩具は、以下の要件を備えることを特徴とする。
（イ）玩具本体は発電装置と該発電装置の発電した電力で動作する動作装置とを備え、該発電装置は液体に接触させることにより発電するイオン化傾向の異なる２種類の電極板で構成したこと
（ロ）上記２種類の電極板は一方の電極板はプラス側電極板を、他方の電極板はマイナス側電極板で構成し、マイナス側の電極板の表面積に対し、プラス側の電極板の表面積を大きくしたこと
（ハ）上記電極板を上記液体に接触させるために、上記玩具本体を上記液体が出入りできるように形成したこと
【０００７】
なお、前記発電装置を備えた水遊び玩具は以下の要件を備えることが好ましい。
（イ）前記玩具本体は前記液体が出入りできない上部スペースと、前記液体が出入りする下部スペースとから構成され、上部スペースには前記動作装置が、下部スペースには前記発電装置が配置されていること
（ロ）上記下部スペースには１枚のマイナス側電極板と複数枚のプラス側電極板とが所定間隔を置いて並設されていること
（ハ）上記プラス側電極板と、マイナス側電極板との大きさは同じであること
【０００８】
また、前記動作装置はメロディＩＣとスピーカとで構成され、スピーカは前記上部スペースの内壁に密着固定され壁面を共鳴板に利用することが好ましい。
【０００９】
そして、前記プラス側の電極板は銅板で構成し、前記マイナス側の電極板は亜鉛板で構成し、低コストで発電装置を具現化できるようにすればよい。
【発明の効果】
【００１０】
請求項１の発明によれば、玩具本体内に発電装置と、この発電装置が発電した電気で動作する動作装置とを配置し、発電装置を液体に接触させることにより発電するイオン化傾向の異なる２種類の電極板で構成するとともに、マイナス側の電極板の表面積に対し、プラス側の電極板の表面積を大きくしたことにより発電量が向上し、入浴しながらお湯を電解水として発電し、電池を必要とすることなく動作装置の動作を楽しむことができる。
【００１１】
請求項２の発明によれば、プラス側の電極板を複数枚の電極板で構成することにより、玩具全体の形状を大きくすることなく、発電量の向上を図ることができる。
【００１２】
請求項３の発明によれば、動作装置を電力消費の少ないメロディＩＣとスピーカで構成するとともに、スピーカを内壁面に密着固定したので、外部からメロディを楽しむことができる。
【００１３】
請求項４の発明によれば、イオン化傾向の異なる電極板を銅板と亜鉛板とで構成することにより、イオン化傾向の差が大きく安価な材料で比較的大きな発電力を得ることができる。
【発明を実施するための最良の形態】
【００１４】
玩具本体は液体に接触させることにより発電するイオン化傾向の異なる２種類の電極板で構成された発電装置と該発電装置の発電した電力で動作する動作装置とを備え、上記電極板はプラス側の電極板の表面積に対し、マイナス側の電極板の表面積を大きくし、上記電極板を液体に接触させることができるように上記玩具本体を液体が出入りできるようにした。
【実施例１】
【００１５】
図１は、本発明に係る発電装置を備えた水遊び玩具の一例を示し、この発電装置を備えた水遊び玩具（以下、水遊び玩具という）は、玩具本体１が液体（例えば、風呂の湯水）に浮くように中空に形成され、内部には発電装置Ａと、この発電装置Ａの発電で動作する動作装置Ａとが配置されている。
【００１６】
玩具本体１は上ケース１ａと下ケース１ｂとで構成され、上ケース１ａと下ケース１ｂとは仕切り板２で仕切られて上部スペース３と下部スペース４とが形成されるようになっている。
【００１７】
上ケース１ａの開口面は上記仕切り板２で遮蔽され、接着剤などの適宜手段でシールドされて上部スペース３は密封された空間が形成されている。この密封された空間内には動作装置Ａを構成するメロディＩＣ１０とスピーカ（圧電スピーカ）１１とが配置され、メロディＩＣがマウントされた回路基板１２は上記仕切り板２の上面に固定され、スピーカ１１は上ケース１ａが共鳴板の機能を発揮するように上ケース１ａの天板内面に固定されている。
【００１８】
下ケース１ｂは周面と底面に多数の貫通孔１３が形成され、仕切り板２と下ケース１ｂとで形成された下部スペース４内に液体が出入りできるようになっており、この下部スペース４内には発電装置Ｂが配置されている。
【００１９】
発電装置Ｂはイオン化傾向の異なる２種類の電極板で構成され、２種類の電極板を水素イオンが存在する液体（純水ではない液体で電解水と呼ばれる）に浸し、導線でつなぐと、マイナス側の電極（イオン化傾向の大きな金属）からプラス側の電極（イオン化傾向の小さな金属）に電子が移動することにより電流がプラス極からマイナス極に流れて発電するようになっているものであり、公知の理論に基づいた発電装置で構成されている。電極板としてはマイナス極に対応する電極にはイオン化傾向の大きいマグネシウム、アルミニウム、亜鉛などの金属板を、プラス極に対応する電極板にはイオン化傾向の小さい金、白金、銀、銅などの金属板を用いればよいが、本発明では２種類の電極板を複数枚の銅板１４と一枚の亜鉛板１５とで構成し、図３に示すように、絶縁材１６を介して上下に積層し、銅板１４がプラス側の電極板を構成し、亜鉛板１５がマイナス側の電極板を構成するようにした。なお、本実施例では銅板１４を複数枚にすることにより表面積を大きくし、発電量の向上を図っている。
【００２０】
図４は、上記水遊び玩具の電気的構成を示すブロック図で、図４において符号１０は動作装置Ａを構成するメロディＩＣを示し、符号１１はスピーカを示す。
【００２１】
そして、符号Ｂは発電装置を示し、この発電装置Ｂは上述したようにイオン化傾向の異なる２種類の電極板（銅板１４、亜鉛板１５）で構成され、プラス側の電極板を構成する３枚の銅板１４は互いにリード線１７で連結されるとともに、このリード線１７の端部は仕切り板２に形成された貫通孔１８を通して回路基板１２上のメロディＩＣ１０に接続され、マイナス側の電極板を構成する亜鉛板１５に接続したリード線１９は仕切り板２に形成された貫通孔１８を通して回路基板１２上のメロディＩＣ１０にそれぞれ接続されている。
【００２２】
上記構成の水遊び玩具は、図５に示すように、使用者が入浴時に湯船に玩具本体１を浮かべると、湯水が下ケース１ｂに形成された貫通孔１３から下部スペース４内に流入し、下部スペース４内は湯水で充満し銅板１４、亜鉛板１５は湯水に浸かることになる。湯水は純水ではないので電解水の機能を発揮し、銅板１４と亜鉛板１５との間に電圧が発生し、メロディＩＣ１０が作動しスピーカ１１からメロディが出力される。
【００２３】
上述のように玩具本体１を湯に浸けるだけでメロディが出力されるので、電池が消耗しているか否かを気にすることなく使用することができ、遊びたいときが使用できるときであり、いつでも楽しむことができる水遊び玩具を提供することができる。
【００２４】
なお、上述の水遊び玩具は玩具本体１を円盤状に形成したが、この形状は円盤状に限定されるものではなく、図６に示すように、球体状であっても構わない。この水遊び玩具は玩具本体１の下部スペース４に配置される銅板１４と亜鉛板１５との上端が絶縁体２０に支持され、縦に並設されているもので、下部スペース４の底部に固定された錘部材２１で玩具本体１の上部が水面から突出するようになっていればよい。
【００２５】
また、図７は、水遊び玩具の他の例を示し、この水遊び玩具は植木鉢を模して形成された玩具本体１の上部に花を模した形象物２５を配したもので、玩具本体１の内部には上述した動作装置Ａと発電装置Ｂとが収容され、茎を模した支柱２５の内部を挿通させたリード線１７、１９の先端は花を模した形象物２５内に配置されたスピーカ１１に接続されている。
【００２６】
この水遊び玩具は本体の上方から水をかけると、かけた水は玩具本体１１の上面に形成された貫通孔２７から玩具本体１内部に浸入して滞留し、発電装置Ｂである銅板１４と亜鉛板１５とは水が下部の排水口２８から流出するまで水に浸かっているので発電を行い、スピーカ１１からメロディが出力されるが、排水口２８から水が流出してしまうと発電が止まり、メロディの出力が停止するようになっており、風呂場で入浴時にお湯をかけてメロディが出力されるのを楽しむことができ、単に視覚的に楽しむ風呂場の飾りだけではなく聴覚面でも楽しむことのできる風呂場グッズを実現することができる。
【図面の簡単な説明】
【００２７】
【図１】本発明に係る水遊び玩具の一例を示す斜視図
【図２】上記水遊び玩具の分解斜視図
【図３】上記水遊び玩具の要部縦断面図
【図４】上記水遊び玩具の電気的構成を説明するブロック図
【図５】上記水遊び玩具の使用状態説明図
【図６】水遊び玩具の他の例を説明する要部縦断面図
【図７】水遊び玩具のさらに他の例を説明する要部縦断面図
【符号の説明】
【００２８】
１    玩具本体
１０    メロディＩＣ
１１    スピーカ
１４    電極板（銅板）
１５    電極板（亜鉛板）
Ａ    動作装置
Ｂ    発電装置
【図１】
2006020762.tif 000003
【図２】
2006020762.tif 000004
【図３】
2006020762.tif 000005
【図４】
2006020762.tif 000006
【図５】
2006020762.tif 000007
【図６】
2006020762.tif 000008
【図７】
2006020762.tif 000009